(57)【要約】【課題】配信系統の性能、希望する画質・音質の、圧縮符号化ビデオ信号とオーディオ信号を配信する。【解決手段】異なる圧縮率または圧縮アルゴリズムでビデオ信号を圧縮符号化する複数のビデオ信号符号化手段（ＣＯＤＥＣ）１０４、１０５と、異なる圧縮率または圧縮アルゴリズムで、オーディオ信号を圧縮符号化する複数のオーディオ信号符号化手段（ＣＯＤＥＣ）１０９、１１０と、制御手段（１０８）と、配信元に配信する配信手段１１２とを有する。【選択図】図１
2007288370.tif 000002
【特許請求の範囲】
【請求項１】
異なる圧縮率または圧縮アルゴリズムでビデオ信号を圧縮符号化する複数のビデオ信号符号化手段と、
異なる圧縮率または圧縮アルゴリズムでオーディオ信号を圧縮符号化する複数のオーディオ信号符号化手段と、
配信要求に応じて前記複数のビデオ信号符号化手段に同じ非圧縮ビデオ信号を入力し、同じタイミングで圧縮符号化させ、前記複数のオーディオ信号符号化手段に同じ非圧縮オーディオ信号を入力し、同じタイミングで圧縮符号化させる制御手段と、
前記圧縮符号化されたビデオ信号と前記圧縮符号化されたオーディオ信号を要求した配信先に配信する配信手段と
を有する、
映像・音声信号処理装置。
【請求項２】
非圧縮ビデオ信号を事前に記録するメモリ手段をさらに有し、
前記配信要求に応じて、前記制御手段は前記メモリ手段から読みだした非圧縮ビデオ信号を前記複数のビデオ信号符号化手段に入力する、
請求項１に記載の映像・音声信号処理装置。
【請求項３】
音声収録手段からの音声信号を入力する手段を有し、
前記制御手段は、前記配信要求に応じて前記音声収録手段からの音声信号を前記複数のオーディオ信号符号化手段に同じ非圧縮オーディオ信号を入力する、
請求項１に記載の映像・音声信号処理装置。
【請求項４】
非圧縮ビデオ信号と関連するオーディオ信号を記録する第２メモリ手段をさらに有し、
前記配信要求に応じて、前記制御手段は前記第２メモリ手段から読みだした非圧縮オーディオ信号を前記複数のオーディオ信号符号化手段に入力する、
請求項１に記載の映像・音声信号処理装置。
【請求項５】
前記配信手段に配信系統が接続される、
請求項１に記載の映像・音声信号処理装置。
【発明の詳細な説明】
【技術分野】
【０００１】
本発明は、映像信号（ビデオ信号）と、音声信号（オーディオ信号）とを圧縮して伝送または配信する映像・音声信号処理装置に関する。
本発明は特に、１種のビデオ信号とオーディオ信号を異なる圧縮率で符号化して、希望する圧縮率で符号化されたビデオ・オーディオ信号を配信可能な映像・音声信号処理装置に関する。
【背景技術】
【０００２】
ネットワークカメラ、ビデオサーバなどにおいて、ビデオカメラ装置、ビデオ記録再生装置（ＶＴＲ装置）などから出力された映像信号（または画像信号、ビデオ信号）と音声信号（またはオーディオ信号）を圧縮して、１つのサーバから１または複数の要求先（クライアントまたはカスタマー）に配信することが行われている。
【０００３】
このような、ビデオ・オーディオ信号圧縮符号化・配信技術として、サーバにおいて、１種類の圧縮率（圧縮アルゴリズム）で、ビデオ信号とオーディオ信号とをそれぞれ圧縮し、マルチキャストまたはブロードキャストで圧縮したデータを複数のクライアントに配信することが行われている。
この技術では、複数のクライアントに対して同じ画質、同じ画像サイズ、同じ音質のデータが配信される。そのため、たとえば、下記の問題に遭遇する。
【０００４】
高画質の画像・音声再生装置を持っているクライアントにとっては、そのような圧縮ビデオ信号とオーディオ信号を再生して、装置本来の性能の映像と音声が再生されないから、配信された圧縮ビデオ信号とオーディオ信号では満足できない。
他方、サーバにおいて、非常に低い圧縮率で圧縮されたビデオ信号とオーディオ信号を配信する場合には、そのような多大なデータを配信する配信系統にとって負担になる。場合によっては、そのような低い圧縮率のデータを配信するには適さない配信系統もある。また、そのような圧縮率に適合しない画像・音声再生装置を持つクライアントにとっては、無駄な圧縮データを受信することになる。
【０００５】
上記の配信の問題を克服するため、種々の提案がなされている。
たとえば、特許文献１は、同じ画像データを異なる圧縮率で圧縮し、通信回路の送信速度を計測し、計測した送信速度に適合する圧縮率で圧縮された画像データを通信回路に送出する技術を開示している。
【０００６】
また特許文献２は、用途と目的に応じて映像データを伝送する技術を開示している。たとえば、復調後に編集可能を行うために使用するような画像データについては、入力された画像データを、一度記録し、低い圧縮率で圧縮符号化して非実時間的な伝送速度の伝送信号を生成する。他方、スポーツの実況中継のような画像データについては、高い圧縮率で圧縮符号化し、実時間で圧縮符号化されたデータを、たとえば、人工衛星回線を介して伝送する。
【０００７】
他方、画像データと音声データでそれぞれ異なる複数の圧縮アルゴリズムで圧縮符号化してデータ配信を行うときに、配信性能を満たすために圧縮アルゴリズムを切り換える技術も提案されている。
【０００８】
【特許文献１】特開２００３−２４４６９８号公報
【特許文献２】特開平８−２３７６５１公報
【発明の開示】
【発明が解決しようとする課題】
【０００９】
特許文献１に記載された技術は、伝送回線の速度を計測する必要があり装置構成が複雑になる。
【００１０】
特許文献２に記載された技術は、配信元（サーバ）において、画像データの内容に応じて処理しており、配信経路および／またはクライアント（カスタマー）の状況に則した処理ではない。したがって、たとえば、種々の状況、要望を持つクライアントに適用できる技術とは言えない。
【００１１】
画像データと音声データでそれぞれ異なる複数の圧縮アルゴリズムで圧縮符号化し、データ配信を行うときに、配信性能を満たすために圧縮アルゴリズムを切り換える技術は、配信性能を満たすために圧縮アルゴリズムを切り換える必要があり、高画質、高音質のデータを確実に配信できない場合があるという問題がある。
【００１２】
上述した問題を克服するため、本発明は、配信系統の性能、クライアントの希望する画質・音質の圧縮符号化ビデオ信号とオーディオ信号を配信可能な映像・音声信号処理装置を提供することを目的とする。
なお、本発明は、非圧縮ビデオ信号および／またはオーディオ信号をも配信可能な映像・音声信号処理装置を提供する。
【課題を解決するための手段】
【００１３】
本発明によれば、異なる圧縮率または圧縮アルゴリズムでビデオ信号を圧縮符号化する複数のビデオ信号符号化手段と、異なる圧縮率または圧縮アルゴリズムで、オーディオ信号を圧縮符号化する複数のオーディオ信号符号化手段と、配信要求に応じて前記複数のビデオ信号符号化手段に同じ非圧縮ビデオ信号を入力し、同じタイミングで圧縮符号化させ、前記複数のオーディオ信号符号化手段に同じ非圧縮オーディオ信号を入力し、同じタイミングで圧縮符号化させる制御手段と、前記圧縮符号化されたビデオ信号と前記圧縮符号化されたオーディオ信号を要求した配信先に配信する配信手段とを有する、映像・音声信号処理装置が提供される。
【発明の効果】
【００１４】
本発明によれば、配信元が要求する圧縮率または圧縮アルゴリズムで圧縮されたビデオ信号と圧縮されたオーディオ信号、あるいは、非圧縮ビデオ信号と非圧縮オーディオ信号を配信することができる。
【００１５】
本発明の映像・音声信号処理装置においては複雑な切替え処理などは不要である。
【発明を実施するための最良の形態】
【００１６】
添付図面を参照して本発明の映像・音声信号処理装置の好適な実施の形態を述べる。
【００１７】
第１実施の形態
図１は本発明の第１実施の形態の映像・音声信号処理装置の構成図である。
映像・音声信号処理装置１００は、第１および第２ビデオ信号ＣＯＤＥＣ（Coder /Decoder、符号化・復号化器) 部１０４、１０５と、制御処理部１０８と、第１および第２オーディオ信号ＣＯＤＥＣ部１０９、１１０とを有する。
本実施の形態においては、２つの第１および第２ビデオ信号ＣＯＤＥＣ部１０４、１０５と、２つの第１および第２オーディオ信号ＣＯＤＥＣ部１０９、１１０とを設けている。
第１および第２ビデオ信号ＣＯＤＥＣ部１０４、１０５とはそれぞれ、異なる圧縮率でビデオデータを圧縮符号化する。ビデオ信号ＣＯＤＥＣ部１０４、１０５はビデオデータの圧縮符号化と、その逆の復号伸長処理を行うことができるが、本実施の形態では圧縮符号化が対象となる。
第１および第２オーディオ信号ＣＯＤＥＣ部１０９、１１０もそれぞれ、異なる圧縮率でオーディオ信号を圧縮符号化する。オーディオ信号ＣＯＤＥＣ部１０９、１１０はオーディオ信号の圧縮符号化と、スピーカ１６０から音声を出力するときなど、その逆の復号伸長処理を行うことができる。
なお、例示として、それぞれ２つの第１および第２ビデオ信号ＣＯＤＥＣ部１０４、１０５と、２つの第１および第２オーディオ信号ＣＯＤＥＣ部１０９、１１０とを設けた例を示しているが、必要に応じて、３以上の異なる圧縮率で圧縮符号化する、ビデオ信号ＣＯＤＥＣ部とオーディオ信号ＣＯＤＥＣ部とを設けることができる。
【００１８】
映像・音声信号処理装置１００はさらに、デマルチプレクサ１０１と、ビデオ・メモリ制御・インターフェース部１０２と、制御処理部１０８と、オーディオ信号・インターフェース部１１１と、バス・インターフェース部１１２とを有する。
映像・音声信号処理装置１００はまた、ビデオメモリ部１２０と、システムメモリ部１３０と、ＡＤＣ・ＤＡＣ部１４０とを有する。
制御処理部１０８は、映像・音声信号処理装置１００における圧縮符号化処理、配信処理などを制御する。制御処理部１０８は、たとえば、コンピュータで実現できる。
ビデオメモリ部１２０は、原ビデオ信号Ｓ１０１Ｖを記憶する。
システムメモリ部１３０は、制御処理部１０８のプログラム、映像・音声信号処理装置１００で行う処理に用いる各種データ、パラメータなどを記憶している。
【００１９】
映像・音声信号処理装置１００内において、第１バス１０７は、制御処理部１０８と、第１、２オーディオ信号ＣＯＤＥＣ部１０９、１１０と、第１、２ビデオ信号ＣＯＤＥＣ部１０４、１０５と、バス・インターフェース部１１２と、システムメモリ部１３０とを相互接続している。
また第２バス１０６が、デマルチプレクサ１０１と、ビデオ・メモリ制御・インターフェース部１０２と、第１、２ビデオ信号ＣＯＤＥＣ部１０４、１０５と、ビデオメモリ部１２０とを接続している。
第３バス１１４が、デマルチプレクサ１０１と、第１、２オーディオ信号ＣＯＤＥＣ部１０９、１１０と、オーディオ信号・インターフェース部１１１と、オーディオメモリ部１３０とを接続している。
【００２０】
デマルチプレクサ１０１は、ビデオカメラ装置１０から出力される原ビデオ／オーディオ信号Ｓ１０を、ビデオ信号とオーディオ信号に分離し、原ビデオ信号Ｓ１０１Ｖを第２バス１０６に出力し、原オーディオ信号Ｓ１０１Ａを第３バス１１４に出力する。
なお本例においては、原ビデオ／オーディオ信号Ｓ１０として、実時間で映像信号と音声信号とを出力するビデオカメラ装置１０を例示したが、原ビデオ／オーディオ信号Ｓ１０としては、ビデオカメラ装置１０に限らず、ＶＴＲ装置で再生した原ビデオ／オーディオ信号、あるいは、ビットストリームなど、原ビデオ／オーディオ信号を提供できるソースであれば、本例には限定されない。
【００２１】
ビデオ・メモリ制御・インターフェース部１０２は、制御処理部１０８の制御の下で、第２バス１０６に出力された原ビデオ信号Ｓ１０１Ｖをビデオメモリ部１２０に記憶させる。
ビデオ・メモリ制御・インターフェース部１０２はまた、制御処理部１０８の制御の下で、ビデオメモリ部１２０に記憶された原ビデオ信号Ｓ１０１Ｖを第２バス１０６に読みだして、第１ビデオ信号ＣＯＤＥＣ部１０４と第２ビデオ信号ＣＯＤＥＣ部１０５に入力して、これらＣＯＤＥＣ部１０４、１０５において、異なる圧縮率（圧縮アルゴリズム）で、圧縮符号化を行わせる。それぞ圧縮符号化されたビデオデータ、すなわち、第１圧縮ビデオ信号Ｓ１０４Ｖと第２圧縮ビデオ信号Ｓ１０５Ｖとは第１バス１０７に出力されて、バス・インターフェース部１１２を介して配信される。
第１ビデオ信号ＣＯＤＥＣ部１０４と第２ビデオ信号ＣＯＤＥＣ部１０５で行う圧縮のアルゴリズムは、たとえば、動画像の符号化に好適なＭＰＥＧ方式のアルゴリズムを適用できる。
【００２２】
ＡＤＣ・ＤＡＣ部１４０は、マイクロフォン１５０からのアナログ音声信号をデジタル音声信号に変換する。
またＡＤＣ・ＤＡＣ部１４０は、オーディオ信号・インターフェース部１１１を介して、第１オーディオ信号ＣＯＤＥＣ部１０９または第２オーディオ信号ＣＯＤＥＣ部１１０から出力されるデジタル音声信号をアナログ音声信号に変換してスピーカ１６０に出力する。
【００２３】
デマルチプレクサ１０１から第３バス１１４に出力された原オーディオ信号Ｓ１０１Ａ、または、マイクロフォン１５０からの音声信号は、第１オーディオ信号ＣＯＤＥＣ部１０９と第２オーディオ信号ＣＯＤＥＣ部１１０においてそれぞれ異なる圧縮率、または、圧縮アルゴリズムで、圧縮符号化されて、第１圧縮オーディオ信号Ｓ１０９Ａ、第２圧縮オーディオ信号Ｓ１１０Ａとして第１バス１０７に出力されて、バス・インターフェース部１１２を介して配信できる。
第１オーディオ信号ＣＯＤＥＣ部１０９と第２オーディオ信号ＣＯＤＥＣ部１１０で行う圧縮のアルゴリズムは、たとえば、適用型差動パルスコード変調（ＡＤＰＣＭ：Adaptive Differentail Pulse Code Modulation)方式のアルゴリズムを適用できる。
【００２４】
制御処理部１０８は、映像・音声信号処理装置１００における上記データの入力、ビデオ信号とオーディオ信号の圧縮符号化、さらに、映像・音声信号処理装置１００の外部の装置、たとえば、ＰＣ装置２０などへの配信のための動作の制御処理を行う。
【００２５】
バス・インターフェース部１１２は、圧縮符号化したビデオ信号とオーディオ信号を、外部に配信する部分である。
図１に図解した本実施の形態では、バス・インターフェース部１１２は、ＭＡＣ部１７、ＰＨＹ部１８、ＬＡＮ１９およびＰＣ装置２０で構成される第１配信系統２０１と、ＭＡＣ部２１、ＰＨＹ部２２、ＷＡＮ２３、ＰＣ装置２４またはＰＣ装置２５で構成される第２配信系統２０２に、圧縮符号化したビデオ信号と、オーディオ信号とを配信する。
【００２６】
動作
映像・音声信号処理装置１００の動作を述べる。
（１）データの記憶
制御処理部１０８の制御の下で、ビデオカメラ装置１０からの原ビデオ／オーディオ信号Ｓ１０がデマルチプレクサ１０１で原ビデオ信号Ｓ１０１Ｖと原オーディオ信号Ｓ１０１Ａとに分離され、第２バス１０６と第３バス１１４に出力される。
原ビデオ信号Ｓ１０１Ｖは、ビデオ・メモリ制御・インターフェース部１０２の制御のもとでビデオメモリ部１２０に記憶される。原オーディオ信号Ｓ１０１Ａは、たとえば、システムメモリ部１３０に記憶されるまたは、図３に図解したように、オーディオメモリ部１３５を設けて、原オーディオ信号Ｓ１０１Ａをオーディオメモリ部１３５に記憶させることもできる。
なお、原ビデオ信号Ｓ１０１Ｖは圧縮前のビデオ信号をいう。同様に、原オーディオ信号Ｓ１０１Ａは圧縮前のオーディオ信号をいう。
【００２７】
（２）配信要求受け付け〜圧縮処理
たとえば、第１配信系統２０１のＰＣ装置２０と、第２配信系統２０２のＰＣ装置２４から同時に、異なる圧縮率のビデオ信号とオーディオ信号との配信が要求されたとき、制御処理部１０８はそれらの要求を受けて、希望する圧縮符号化ビデオ信号とオーディオ信号とを配信要求先、ＰＣ装置２０と、ＰＣ装置２４に配信するための下記の制御処理を行う。
制御処理部１０８は、ビデオ・メモリ制御・インターフェース部１０２に対してビデオメモリ部１２０からの原ビデオ信号Ｓ１０１Ｖの読み出しと、第２バス１０６に読みだされた原ビデオ信号Ｓ１０１Ｖを、第１ビデオ信号ＣＯＤＥＣ部１０４と第２ビデオ信号ＣＯＤＥＣ部１０５が異なるそれぞれの圧縮率で同時に圧縮処理を行うように制御する。
同様に、制御処理部１０８は、マイクロフォン１５０で採取した音声データをＡＤＣ・ＤＡＣ部１４０でデジタル信号に変換し、オーディオ信号・インターフェース部１１１を経由して第３バス１１４に出力させ、第１オーディオ信号ＣＯＤＥＣ部１０９と第２オーディオ信号ＣＯＤＥＣ部１１０において異なるそれぞれの圧縮率で同時に圧縮処理を行うように制御する。または、制御処理部１０８は、第３バス１１４に出力された原オーディオ信号Ｓ１０１Ａを第１オーディオ信号ＣＯＤＥＣ部１０９と第２オーディオ信号ＣＯＤＥＣ部１１０において異なるそれぞれの圧縮率で同時に圧縮処理を行うように制御することができる。
以上により、第１バス１０７には、第１圧縮ビデオ信号Ｓ１０４Ｖと第２圧縮ビデオ信号Ｓ１０５Ｖ、および、第１圧縮オーディオ信号Ｓ１０９Ａと第２圧縮オーディオ信号Ｓ１１０Ａとが出力される。
【００２８】
（３）配信
バス・インターフェース部１１２は、制御処理部１０８の制御のもとで、第１配信系統２０１を経由してＰＣ装置２０へ、および／または、第２配信系統２０２を経由してＰＣ装置２４へ、希望する圧縮符号化のビデオ信号とオーディオ信号をそれぞれ配信する。
第１配信系統２０１に配信された圧縮符号化ビデオ信号とオーディオ信号は、ＭＡＣ部１７、ＰＨＹ部１８、ＬＡＮ１９を経由して、要求元のＰＣ装置２０に配信される。
同様に、第２配信系統２０２に配信された圧縮符号化ビデオ信号とオーディオ信号は、ＭＡＣ部２１、ＰＨＹ部２２、ＷＡＮ２３をを経由して、要求元のＰＣ装置２４に配信される。
【００２９】
ＰＣ装置２０およびＰＣ装置２４は、自己が希望する圧縮率のビデオ信号とオーディオ信号とが配信できる。
ＰＣ装置２０とＰＣ装置２４とには、自己が使用する配信系統、すなわち、第１配信系統２０１と第２配信系統２０２の配信性能を示すデータで事前に登録されているから、映像・音声信号処理装置１００に配信を要求する際、登録された配信性能を満足する条件で配信を要求する。したがって、映像・音声信号処理装置１００から配信される圧縮符号化ビデオ信号とオーディオ信号とが配信系統の制限により問題などが起こることはない。
【００３０】
なお、ＰＣ装置２０へ配信する圧縮符号化ビデオ信号とオーディオ信号と、ＰＣ装置２４に配信する圧縮符号化ビデオ信号とオーディオ信号とは、同じ圧縮率でもよいし異なる圧縮率でもよい。
【００３１】
たとえば、第１配信系統２０１内のＬＡＮ１９を通じて配信する場合は、第２配信系統２０２のＷＡＮ２３を通じて配信する場合より、圧縮率の低い、すなわち、データ量は多いが、高画質のビデオ信号、高音質のオーディオ信号を配信することができる。
たとえば、第１配信系統２０１内のＬＡＮ１９を通じて配信する場合は、第２ビデオ信号ＣＯＤＥＣ部１０５において低い圧縮率で圧縮符号化したビデオ信号を配信し、第２配信系統２０２のＷＡＮ２３を通じて配信する場合は、第１ビデオ信号ＣＯＤＥＣ部１０４において高い圧縮率で圧縮符号化したビデオ信号を配信することができる。同様に、マイクロフォン１５０で採取した（収音、収録した）音声を配信する場合、ＬＡＮ１９を通じて配信するときは、たとえば、第１オーディオ信号ＣＯＤＥＣ部１０９において低い圧縮率で圧縮符号化したオーディオ信号を配信し、ＷＡＮ２３を通じて配信するときは、たとえば、第２オーディオ信号ＣＯＤＥＣ部１１０において高い圧縮率で圧縮符号化したオーディオ信号を配信する。
【００３２】
以上のように、本実施の形態によれば、映像・音声信号処理装置１００は、要求先、たとえば、ＰＣ装置２０およびＬＡＮ１９を含む第１配信系統２０１、または、ＷＡＮ２３およびＰＣ装置２４／ＰＣ装置２５を含む第２配信系統２０２の性能、要望に応じた、圧縮率または圧縮アルゴリズムで圧縮符号化したビデオ信号とオーディオ信号を、同時に、あるいは、希望するタイミングで、配信することができる。
【００３３】
第２実施の形態
図２を参照して本発明の第２実施の形態の映像・音声信号処理装置を述べる。
図２に図解した映像・音声信号処理装置１００は、図１に図解した映像・音声信号処理装置１００と同じである。
図２においては、図１における第１配信系統２０１に代えて、大規模な記憶容量を持つハードディスク装置３０を含む第３配信系統２０３が接続されている。
また、ＬＡＮ１９またはＷＡＮ２３を有する第４配信系統２０４が接続されている。
【００３４】
図２において、ＬＡＮ１９またはＷＡＮ２３を有する第４配信系統２０４に配信する場合は、第１ビデオ信号ＣＯＤＥＣ部１０４で圧縮符号化したビデオ信号を配信し、ハードディスク装置３０を有する第３配信系統２０３に配信する場合は、第２ビデオ信号ＣＯＤＥＣ部１０５で圧縮符号化したビデオ信号を配信する。
あるいは、この逆でもよい。
本実施の形態においても、ビデオメモリ部１２０から読みだした原ビデオ信号Ｓ１０１Ｖを同じタイミングで、第１ビデオ信号ＣＯＤＥＣ部１０４と第２ビデオ信号ＣＯＤＥＣ部１０５とが圧縮符号化する。
【００３５】
たとえば、マイクロフォン１５０の音声信号を配信する場合、ＬＡＮ１９またはＷＡＮ２３を有する第４配信系統２０４に配信する場合は、第１オーディオ信号ＣＯＤＥＣ部１０９で圧縮符号化したオーディオ信号を配信し、ハードディスク装置３０に圧縮符号化したオーディオ信号を記録するときは第２オーディオ信号ＣＯＤＥＣ部１１０で圧縮符号化したオーディオ信号を配信する。
あるいは、この逆でもよい。
本実施の形態においても、マイクロフォン１５０で採取した音声信号を、同じタイミングで、第１オーディオ信号ＣＯＤＥＣ部１０９と第２オーディオ信号ＣＯＤＥＣ部１１０が圧縮符号化する。
【００３６】
第３実施の形態
上述した実施の形態は、ビデオ信号の配信は、一旦、ビデオメモリ部１２０に記憶した原ビデオ信号Ｓ１０１Ｖを圧縮符号化して配信し、オーディオ信号の配信は、マイクロフォン１５０からの音声信号を配信する場合について述べた。
しかしながら、本実施の形態においては、オーディオ信号の配信について、マイクロフォン１５０からの音声信号の配信に限らず、原ビデオ／オーディオ信号Ｓ１０を構成する原オーディオ信号Ｓ１０１Ａと圧縮符号化した配信することもできる。
その場合、オーディオ・メモリ制御・インターフェース部１０３と、オーディオメモリ部１３５を設けて、第３バス１１４に接続する。
【００３７】
オーディオ・メモリ制御・インターフェース部１０３は、ビデオ・メモリ制御・インターフェース部１０２と同様、制御処理部１０８の制御の下で、デマルチプレクサ１０１で分離されて第３バス１１４に出力された原オーディオ信号Ｓ１０１Ａをオーディオメモリ部１３５に記録する。
オーディオ・メモリ制御・インターフェース部１０３は、配信要求に応じた制御処理部１０８の制御のもとで、オーディオメモリ部１３５に記録して原オーディオ信号Ｓ１０１Ａを第３バス１１４に読みだして第１オーディオ信号ＣＯＤＥＣ部１０９と第２オーディオ信号ＣＯＤＥＣ部１１０に入力する。第１オーディオ信号ＣＯＤＥＣ部１０９と第２オーディオ信号ＣＯＤＥＣ部１１０は、読みだされた原オーディオ信号Ｓ１０１Ａを、それぞれの圧縮率、または、圧縮アルゴリズムで圧縮符号化して、第１バス１０７を介してバス・インターフェース部１１２に出力する。
【００３８】
バス・インターフェース部１１２における第１配信系統２０１などへの配信方法は、上記実施の形態と同じである。
【００３９】
第４実施の形態
第１〜３実施の形態は、原ビデオ信号Ｓ１０１Ｖおよび／またはマイクロフォン１５０で採取した音声信号を、圧縮符号化した、第１配信系統２０１などの配信系統に配信する場合を述べたが、圧縮しない非圧縮データを配信することもできる。
その場合、たとえば、ビデオ・メモリ制御・インターフェース部１０２は、ビデオメモリ部１２０から読みだした原ビデオ信号Ｓ１０１Ｖを第１バス１０７に出力して、バス・インターフェース部１１２に出力する。
同様に、マイクロフォン１５０で採取した音声信号を圧縮しないで配信する場合は、第１オーディオ信号ＣＯＤＥＣ部１０９および第２オーディオ信号ＣＯＤＥＣ部１１０を通さず、あるいは、第１オーディオ信号ＣＯＤＥＣ部１０９と第２オーディオ信号ＣＯＤＥＣ部１１０において圧縮処理せずに、第１バス１０７に出力して、バス・インターフェース部１１２に出力する。
バス・インターフェース部１１２における配信方法は、圧縮データ、非圧縮データとも基本的には同じである。
【００４０】
以上のように、本実施の形態によれば、クライアント側が要求する圧縮符号化ビデオ信号、オーディオ信号が配信することができる。
配信を要求するクライアント側は自己の条件、要望にそった配信を要求することにより、希望する圧縮／非圧縮ビデオ信号、オーディオ信号を受信できる。
【００４１】
より詳しく述べると、本実施の形態によれば、複数の画像、音声圧縮アルゴリズムを用いるため、ＬＡＮ、ＷＡＮなどの伝送性能に応じた画質、音質のビデオ信号、オーディオ信号を配信することができ、これらのデータを受信してクライアント側でのモニタリングシステムとしての性能が向上する。その結果、たとえば、ＤＶＲへの記録効率、性能が向上しする。
【００４２】
また、第１ビデオ信号ＣＯＤＥＣ部１０４と第２ビデオ信号ＣＯＤＥＣ部１０５から同時に出力され、連結して配信される圧縮符号化ビデオ信号と、第１オーディオ信号ＣＯＤＥＣ部１０９と第２オーディオ信号ＣＯＤＥＣ部１１０から同時に出力される連結して配信されるオーディオ信号をクライアント側で受信して、モニタリングする用途に対しては、低画質、低音質のデータを使用し、記録保存という用途に対しては高画質、高音質のデータを使用することにより、必要な場面や、見逃した場面をより精細に確認することが可能となる。
【００４３】
上述例示の配信系統において、ＷＡＮ２３に圧縮符号化データを配信し、クライアント側（ＰＣ装置２４）で受信した圧縮符号化データを解凍してモニタリングを行うとともに、圧縮符号化データの状態でハードディスク装置などに記録保存する。他方、第１配信系統２０１におけるＬＡＮ１９に非圧縮データを配信し、クライアント側（ＰＣ装置２０）で受信し、非圧縮データとして高画質、高音質の状態で使用もしくは任意にデータを圧縮加工しながらモニタリングしたり、記録保存するなど、種々の応用が可能となる。
【００４４】
ＷＡＮ２３に配信される圧縮符号化データよりも高画質、高音質のデータをＬＡＮ１９に配信し、ローカルでモニタリングし、それを記録保存しながら、ＷＡＮ２３で遠隔モニタリングしながら、遠隔記録を行っている場合に、必要な場面を見過ごす、記録保存した画像、音声データを再生時に細部の画像を判別できない場合などのときに、ＬＡＮ１９に配信して記録された必要なデータ部分を抽出してＷＡＮ２３に送信することが可能となり、モニタリングシステムとしての性能が向上する。
【００４５】
本実施の形態によれば配信を要求するクライアントのニーズにあった活用が可能となる。
【００４６】
本発明の実施の形態に際しては上述した実施の形態に限定されず、種々の変形態様をとることができる。
【図面の簡単な説明】
【００４７】
【図１】図１は本発明の第１実施の形態の映像・音声信号処理装置の構成図である。
【図２】図２は本発明の第２実施の形態の映像・音声信号処理装置の構成図である。
【図３】図３は本発明の第３実施の形態の映像・音声信号処理装置の構成図である。
【符号の説明】
【００４８】
１０…ビデオカメラ装置
Ｓ１０…原ビデオ／オーディオ信号
２０１…第１配信系統  
１７…ＭＡＣ部、１８…ＰＨＹ部、１９…ＬＡＮ、２０…ＰＣ装置
２０２…第２配信系統  
２１…ＭＡＣ部、２２…ＰＨＹ部、２３…ＷＡ、２４、２５…ＰＣ装置
１００…映像・音声信号処理装置１００
１０１…デマルチプレクサ、
Ｓ１０１Ｖ…原ビデオ信号、Ｓ１０１Ａ…原オーディオ信号
１０２…ビデオ・メモリ制御・インターフェース部
１０３…オーディオ・メモリ制御・インターフェース部
１０４、１０５…ビデオ信号ＣＯＤＥＣ部
１０６、１０７、１１４…バス
１０８…制御処理部
１０９、１１０…オーディオ信号ＣＯＤＥＣ部
１１１…オーディオ信号・インターフェース部
１１２…バス・インターフェース部
１２０…ビデオメモリ部、１３０…システムメモリ部
１３５…オーディオメモリ部、１４０…ＡＤＣ・ＤＡＣ部、
１５０…マイクロフォン、１６０…スピーカ
【図１】
2007288370.tif 000003
【図２】
2007288370.tif 000004
【図３】
2007288370.tif 000005